(57)【要約】【課題】従来、建物の屋根を構築した後、躯体への受け材の取付作業、及び、ブドウ棚等の吊元の構築作業を行うようにしていたので、受け材、吊元を構成する重量物である形鋼を、建設中の建物内に搬入し、台車等を用いて人力で吊元の構築場所の下方まで運搬した後、足場が組立てられた狭い場所において、ウインチ等を用いて荷揚げする作業を要することになり、吊元の構築において、作業性、安全性の面での課題があったので、本発明では、吊元の構築において、作業性、安全性の面での改善が図れる建物の施工方法を提供するものである。【解決手段】被吊材を吊るすための吊元と、吊元を受ける受け材７とを備えた建物の施工方法において、躯体を構築するための型枠に受け材７を設置しておいて、型枠内にコンクリートを打設することで躯体に取付けられた受け材に吊元を取付けたことを特徴とする。【選択図】図１
2019173313.tif 000002
【特許請求の範囲】
【請求項１】
被吊材を吊るすための吊元と、吊元を受ける受け材とを備えた建物の施工方法において、
躯体を構築するための型枠に受け材を設置しておいて、型枠内にコンクリートを打設することで躯体に取付けられた受け材に吊元を取付けたことを特徴とする建物の施工方法。
【請求項２】
受け材にアンカーボルトの軸部を通すためのボルト貫通孔を形成しておき、当該受け材を躯体を構築するための型枠に設置するとともに当該受け材のボルト貫通孔にアンカーボルトの軸部を通すことによって、アンカーボルトの軸部の先端側を型枠内に設置した後に、当該型枠内にコンクリートを打設したことにより、アンカーボルトを介して受け材と躯体とを連結したことを特徴とする請求項１に記載の建物の施工方法。
【請求項３】
建物内のステージ部分の廻りの壁の外面を形成するための外側型枠板を設置するとともに、ステージ部分の上方に構築される吊元としてのブドウ棚の位置よりも下方に位置するステージ部分の廻りの壁の内面を形成するための下方内側型枠板を設置して、当該下方内側型枠板の上面に受け材を設置した後に、当該受け材の上方にブドウ棚の位置よりも上方に位置するステージ部分の廻りの壁の内面を形成するための上方内側型枠板を設置し、下方内側型枠板と受け材と上方内側型枠板とで構成された内側型枠板と外側型枠板との間のコンクリート打設空間にコンクリートを打設したことを特徴とする請求項１又は請求項２に記載の建物の施工方法。
【請求項４】
ステージ部分の廻りの壁を構築するための内側型枠板と外側型枠板との間のコンクリート打設空間にコンクリートを打設する前に、屋根スラブを構築するための型枠を設置し、ステージ部分の廻りの壁を構築するための内側型枠板と外側型枠板との間のコンクリート打設空間にコンクリートを打設するとともに屋根スラブを構築するための型枠上にコンクリートを打設したことを特徴とする請求項３に記載の建物の施工方法。
【請求項５】
ブドウ棚の周囲となる壁の内面に受け材が取付けられたステージ部分の廻りの壁を構築した後に、ブドウ棚の床を形成する複数の床材を受け材に取付けてブドウ棚を構築したことを特徴とする請求項３又は請求項４に記載の建物の施工方法。
【請求項６】
建物の天井裏となる部分に梁を構築するための型枠に受け材を設置しておいて、当該型枠内にコンクリートを打設することで梁に取付けられた受け材に吊元を取付け、当該吊元に被吊材としての天井材が吊り下げられた天井構造を構築したことを特徴とする請求項１又は請求項２に記載の建物の施工方法。
【発明の詳細な説明】
【技術分野】
【０００１】
本発明は、被吊材(幕、飾り、天井材等）を吊るための吊元を備えた建物の施工方法に関する。
【背景技術】
【０００２】
例えば、体育館、講堂等の建物内に構築されるステージの上には、各種幕、美術バトン、照明バトン、映写スクリーン、飾り等の被吊材を吊るために、複数の形鋼等で形成された床材を設置して構成されたブドウ棚と呼ばれる吊元が構築される。
また、建物の構造体となる梁や床スラブに被吊材としての天井材が吊り下げられた天井構造、即ち、梁や床スラブの下面より下方に突出するように設けられた複数の吊りボルトにハンガー、野縁受け、野縁取付具、野縁、天井板が吊り下げられた天井構造が知られている（特許文献１参照）。
また、天井懐が高い建物の場合、吊りボルトを短くするため、天井懐の低い部分に、吊ボルトを取付けるための形鋼等で形成された吊元が構築される場合がある。
以上のような吊元を受けるための形鋼等で形成された受け材をコンクリート躯体に取付ける必要がある。
例えば、従来、図７に示すように、体育館、講堂等のステージ部分１００の廻りの壁、及び、ステージ部分１００の上の屋根スラブを構成するコンクリート躯体１０１を構築した後、ブドウ棚１０２を構築していた。
この場合、ステージ部分１００の上方の壁を構築する際に、この壁を構築するための図外の型枠に、形鋼で形成された受け材１０３を取付けるためのアンカーボルト１０４を組み込んでおいて、当該型枠内にコンクリートを打設することにより、アンカーボルト１０４が取付けられた壁を構築する。そして、当該壁に取付けられたアンカーボルト１０４に受け材１０３を取付けることで、壁の内面に当該受け材１０３を設置する。そして、この受け材１０３に、ブドウ棚１０２の複数の床材１０５を構成する複数のリップ溝形鋼（Ｃ形鋼（Ｃチャン））を取付けてブドウ棚１０２を構築する。
【先行技術文献】
【特許文献】
【０００３】
【特許文献１】特開２０１７−１１５５１７号公報
【発明の概要】
【発明が解決しようとする課題】
【０００４】
しかしながら、例えば従来のブドウ棚の構築方法では、図７に示すように、屋根スラブを構築した後、ブドウ棚１０２を構築するため、ステージ部分１００の屋根スラブの下面にウインチ１１０を設置して、このウインチ１１０下の足場１１１が組立てられたステージ部分１００に、台車１１２等を用いて受け材１０３、床材１０５等を構成する形鋼１２０をウインチ１１０の下まで運搬し、ウインチ１１０で当該形鋼１２０を足場１１１の上に荷揚げした後に、受け材１０３を設置する作業、吊元となるブドウ棚１０２を構築する作業を行っていた。
また、天井懐の低い部分に、吊ボルトを取付けるための吊元を構築する方法も、屋根を構築した後に、天井裏となる部分にウインチ等を設置して、受け材、吊元等を構成する形鋼をウインチ等の下まで運搬して、ウインチ等で当該形鋼を足場の上に荷揚げした後に、受け材を設置する作業、吊元を構築する作業を行っていた。
即ち、従来の吊元を備えた建物の施工方法によれば、建物の屋根を構築した後、躯体への受け材の取付作業、及び、吊元の構築作業を行うようにしていたので、受け材、吊元を構成する重量物である形鋼を、建設中の建物内に搬入し、台車等を用いて人力で吊元の構築場所の下方まで運搬した後、足場が組立てられた狭い場所において、ウインチ等を用いて形鋼を足場上に荷揚げする作業を要することになり、吊元の構築において、作業性、安全性の面での課題があった。
本発明は、上述した課題に鑑み、吊元の構築において、作業性、安全性の面での改善が図れる建物の施工方法を提供するものである。
【課題を解決するための手段】
【０００５】
本発明に係る建物の施工方法は、被吊材を吊るすための吊元と、吊元を受ける受け材とを備えた建物の施工方法において、躯体を構築するための型枠に受け材を設置しておいて、型枠内にコンクリートを打設することで躯体に取付けられた受け材に吊元を取付けたことを特徴とするので、型枠の外側から、クレーン等の揚重機を用いて、受け材、吊元を構成する重量物である形鋼を持ち上げて、足場等の上に搬入することが可能となり、従来のような、重量物である形鋼を、建設中の建物内に搬入し、台車等を用いて人力で吊元の構築場所の下方まで搬送する作業、及び、足場等が組立てられた狭い場所において、ウインチ等を用いて荷揚げする作業を無くすことできるので、吊元の構築において、作業性、安全性の面での改善が図れるようになる。
また、受け材にアンカーボルトの軸部を通すためのボルト貫通孔を形成しておき、当該受け材を躯体を構築するための型枠に設置するとともに当該受け材のボルト貫通孔にアンカーボルトの軸部を通すことによって、アンカーボルトの軸部の先端側を型枠内に設置した後に、当該型枠内にコンクリートを打設したことにより、アンカーボルトを介して受け材と躯体とを連結したので、躯体にアンカーボルトを設けた後に、受け材をアンカーボルトに取付ける従来工法の場合のように、受け材のボルト貫通孔とアンカーボルトの位置とが合わなくなることが無くなり、アンカーボルトを取付け直したり、あるいは、アンカーボルトの位置に合わせて受け材にボルト貫通孔を形成し直したりする等の、後から手直しする作業が不要となるので、吊元の構築において、作業性の面での改善が図れる。
また、建物内のステージ部分の廻りの壁の外面を形成するための外側型枠板を設置するとともに、ステージ部分の上方に構築される吊元としてのブドウ棚の位置よりも下方に位置するステージ部分の廻りの壁の内面を形成するための下方内側型枠板を設置して、当該下方内側型枠板の上面に受け材を設置した後に、当該受け材の上方にブドウ棚の位置よりも上方に位置するステージ部分の廻りの壁の内面を形成するための上方内側型枠板を設置し、下方内側型枠板と受け材と上方内側型枠板とで構成された内側型枠板と外側型枠板との間のコンクリート打設空間にコンクリートを打設したので、ステージ部分の上方に構築される吊元としてのブドウ棚の構築工事において、上述したように、作業性、安全性の面での改善が図れる。
また、ステージ部分の廻りの壁を構築するための内側型枠板と外側型枠板との間のコンクリート打設空間にコンクリートを打設する前に、屋根スラブを構築するための型枠を設置し、ステージ部分の廻りの壁を構築するための内側型枠板と外側型枠板との間のコンクリート打設空間にコンクリートを打設するとともに屋根スラブを構築するための型枠上にコンクリートを打設したので、壁を構築するためのコンクリート打設作業と屋根スラブを構築するためのコンクリート打設作業とを一気に行えるようになり、コンクリート打設作業の効率化を図ることができる。
また、ブドウ棚の周囲となる壁の内面に受け材が取付けられたステージ部分の廻りの壁を構築した後に、ブドウ棚の床を形成する複数の床材を受け材に取付けてブドウ棚を構築したので、壁に固定された受け材に床材を取付けることができ、作業性、安全性の高いブドウ棚の構築工事を実現できるようになる。
また、建物の天井裏となる部分に梁を構築するための型枠に受け材を設置しておいて、当該型枠内にコンクリートを打設することで梁に取付けられた受け材に吊元を取付け、当該吊元に天井材が吊り下げられた天井構造を構築したので、建物の天井裏に構築される吊元の構築工事において、上述したように、作業性、安全性の面での改善が図れる。
【図面の簡単な説明】
【０００６】
【図１】ステージ部分の廻りの壁を構築するための型枠設置状態、及び、受け材設置状態を示す断面図。
【図２】吊元としてのブドウ棚の梁材設置状態、及び、屋根スラブを構築するための型枠設置状態を示す断面図。
【図３】建物の施工方法をステージ部分の上方から見て示す工程図。
【図４】ブドウ棚が構築された体育館等の建物を示す断面図。
【図５】ブドウ棚の構成を示す斜視図。
【図６】天井懐に構築した梁に受け材が設置され、当該受け材に吊元が取り付けられて、当該吊元に天井材が取り付けられた校舎等の建物を示す断面図。
【図７】従来のブドウ棚を備えた建物の施工方法を示す断面図。
【発明を実施するための形態】
【０００７】
実施形態１
実施形態１に係る建物の施工方法、例えば、図４に示すように、ステージ部分１の上方にブドウ棚２と呼ばれる吊元を備えた体育館、講堂等の建物の施工方法は、建物の基礎工事、基礎コンクリート打設工事、土間コンクリート打設工事を行った後、壁型枠設置工事、形鋼荷揚げ工事、受け材設置工事、梁材設置工事、屋根型枠設置工事、コンクリート打設工事、ブドウ棚構築工事を行う。
【０００８】
壁型枠設置工事では、ステージ部分１の廻りのコンクリート躯体となる、ステージ部分１の後壁１１、ステージ部分１の左壁１２、ステージ部分１の図外の右壁、ステージ部分１の前方上方の前垂れ壁１３を構築するための配筋作業及び壁型枠設置作業を行う。
即ち、ステージ部分１の後壁１１、ステージ部分１の左壁１２、ステージ部分の右壁を構築するための配筋作業及び壁型枠設置作業を、図１に示すように、ステージ部分１に足場１０を設置しながら行うとともに、当該足場１０上にステージ部分１の前垂れ壁１３を構築するための配筋作業及び壁型枠設置作業を行う。
【０００９】
図１に示すように、壁型枠設置作業は、ステージ部分１の後壁１１を構築するための型枠３、ステージ部分１の左壁１２を構築するための型枠４、ステージ部分１の右壁を構築するための型枠５（図３（ｃ）参照）、ステージ部分１の前方上方の前垂れ壁１３を構築するための型枠６を設置する作業である。
【００１０】
後壁１１を構築するための型枠３は、後壁１１の内面を形成するための内側型枠板３１と、後壁１１の外面を形成するための外側型枠板３２とを備える。また、内側型枠板３１は、ブドウ棚２の位置よりも下方に位置する後壁１１の内面を形成するための下方内側型枠板３１ａと、ブドウ棚２の位置よりも上方に位置する後壁１１の内面を形成するための上方内側型枠板３１ｂとを備える。
左壁１２を構築するための型枠４は、左壁１２の内面を形成するための内側型枠板４１と、左壁１２の外面を形成するための外側型枠板４２とを備える。また、内側型枠板４１は、ブドウ棚２の位置よりも下方に位置する左壁１２の内面を形成するための下方内側型枠板４１ａと、ブドウ棚２の位置よりも上方に位置する左壁１２の内面を形成するための上方内側型枠板４１ｂとを備える。
右壁を構築するための型枠５も型枠４と同様に、図３（ｃ）に示すように、右壁の内面を形成するための内側型枠板５１と、右壁の外面を形成するための外側型枠板５２とを備え、また、内側型枠板５１は、ブドウ棚２の位置よりも下方に位置する右壁の内面を形成するための下方内側型枠板５１ａと、ブドウ棚２の位置よりも上方に位置する右壁の内面を形成するための上方内側型枠板５１ｂとを備える。
前垂れ壁１３を構築するための型枠６は、前垂れ壁１３の内面を形成するための内側型枠板６１と、前垂れ壁１３の外面を形成するための外側型枠板６２と、前垂れ壁１３の下面を形成するための下側型枠６３とを備える。また、内側型枠板６１は、ブドウ棚２の位置よりも下方に位置する前垂れ壁１３の内面を形成するための下方内側型枠板６１ａと、ブドウ棚２の位置よりも上方に位置する前垂れ壁１３の内面を形成するための上方内側型枠板６１ｂとを備える。
【００１１】
尚、型枠３，４，５，６は、図外のセパレータ、フォームタイ（登録商標）、単管パイプ等の型枠固定具を用いて固定される。
また、図１に示すように、下側型枠６３は、例えば、足場１０の上面側に連結したサポート支柱６３ａの上面に位置されるように配置された大引６３ｂと、間隔を隔てて隣り合うように配置された複数の大引６３ｂ，６３ｂ…間に跨るように配置された根太６３ｃと、間隔を隔てて隣り合うように配置された複数の根太６３ｃ，６３ｃ…の上に敷設された型枠板６３ｄとで構成される。
【００１２】
形鋼荷揚げ工事は、ステージ部分１の上方に構築される屋根スラブ１５がまだ構築されていない状態において、型枠３，４，５，６の外側から、図外のクレーン等の揚重機を用いて、後述する受け材７、梁材７１Ａ，７１Ｂ、後述する床材２１を構成する重量物である形鋼を持ち上げて、ステージ部分１の上方の足場１０上に搬入する。
従って、実施形態１では、図７に示した従来のように、足場１１１が構築されたステージ部分１００に、台車１１２などを用いて形鋼１２０を１つずつ搬送する作業、及び、ステージ部分１００の上方の屋根スラブ下に設置したウインチ１１０を用いて足場１１１が組立てられた狭い場所において重要物である形鋼１２０を足場１１１上に荷揚げする作業を無くすことできるので、作業性、安全性の面での改善が図れる。
【００１３】
受け材設置工事では、ステージ部分１の上方に構築されるブドウ棚２の周囲となるステージ部分１の前後左右の壁の内面に沿って設ける受け材７を、これら壁の内面を形成するための下方内側型枠板３１ａ，４１ａ，５１ａ，６１ａの上面（上縁）に設置する。
受け材７としては、例えば溝形鋼等の形鋼を使用する。受け材７として使用する溝形鋼は、長尺な基板７ａと、当該基板７ａの短手方向の両方の端部である一対の長辺縁から基板７ａの板面と同方向に直角に延長する側板７ｂ，７ｂとを備えた、断面コ字状の長尺な鋼材である。尚、以下、溝形鋼、Ｈ形鋼、リップ溝形鋼等の形鋼の説明において、内面とは形鋼の長尺方向に延長する凹部の内面のことであり、外面とは形鋼の長尺方向に延長する凹部の外面のことである。
この場合、溝形鋼を使用した受け材７の両方の側板７ｂ，７ｂが上下に位置して受け材７の基板７ａの外面（壁を形成するコンクリートが打設される側に位置する面）と壁の内面位置とが一致するように、下方内側型枠板３１ａ，４１ａ，５１ａ，６１ａの上面（上縁）に受け材７の下側の側板１ｂの下面となる外面を載せた状態となるように、受け材７を型枠３，４，５，６に設置する。即ち、下方内側型枠板３１ａ，４１ａ，５１ａ，６１ａの上面（上縁）に、それぞれ受け材７を先行して設置する。
尚、壁の内面を形成するための下方内側型枠板３１ａ，４１ａ，５１ａ，６１ａは、それぞれ、図１に示すように、垂直面となるように立設される垂直面板ａ１と、垂直面板ａ１の上端よりステージ部分１の中央側に向けて延長する水平面を形成する水平面板ａ２とを備え、この水平面板ａ２の水平面ａ３が下方内側型枠板３１ａ，４１ａ，５１ａ，６１ａの上面として機能するように構成されることが好ましい。
【００１４】
そして、図３（ａ）に示すように、後壁１１の内面を形成する下方内側型枠板３１ａの上面に設置された受け材７の左端部７Ｌと左壁１２の内面を形成する下方内側型枠板４１ａの上面に設置された受け材７の後端部７Ｂとを接合して固定するとともに、後壁１１の内面を形成する下方内側型枠板３１ａの上面に設置された受け材７の右端部７Ｒと右壁の内面を形成する下方内側型枠板５１ａの上面に設置された受け材７の後端部７Ｂとを接合して固定する。
さらに、前垂れ壁１３の内面を形成する下方内側型枠板６１ａの上面に設置された受け材７の左端部７Ｌと左壁１２の内面を形成する下方内側型枠板４１ａの上面に設置された受け材７の前端部７Ｆとを接合して固定するとともに、前垂れ壁１３の内面を形成する下方内側型枠板６１ａの上面に設置された受け材７の右端部７Ｒと右壁の内面を形成する下方内側型枠板５１ａの上面に設置された受け材７の前端部７Ｆとを接合して固定する。
即ち、ステージ部分１の上方に構築されるブドウ棚２の周囲となるステージ部分１の上方の前後左右の壁の内面位置に沿って、壁の内面位置と受け材７の基板７ａの外面とが同一垂直面上に位置されるように、各受け材７，７…を配置することによって、当該前後左右の各受け材７，７…でブドウ棚２の周囲を取り囲むように位置される四角環状受け材７Ｘを形成するように、各下方内側型枠板３１ａ，４１ａ，５１ａ，６１ａの上面に受け材７，７…を設置する。
受け材７，７…の端部同士の固定は、例えば、受け材７，７…の端部同士を直接溶接することで固定したり、あるいは、一方の受け材７の端部に図外のブラケットを溶接して、当該ブラケット及び他方の受け材７の端部に形成された図外のボルト通孔に図外のボルトを通して当該ボルトにナットを締結して接合することで固定すればよい。
【００１５】
尚、各下方内側型枠板３１ａ，４１ａ，５１ａ，６１ａの上面に設置される各受け材７，７…の各基板７ａ：７ａ…には、アンカーボルト８の軸部８ａを通すためのボルト貫通孔７ｈ，７ｈ…が形成されている。そして、アンカーボルト８の軸部８ａを当該ボルト貫通孔７ｈに通して当該軸部８ａのＬ字状の先端側８ｔを、当該壁の内面を形成する内側型枠板３１，４１，５１，６１と壁の外面を形成する外側型枠板３２，４２，５２，６２との間のコンクリート打設空間９内に設置した状態で、アンカーボルト８にナット８ｂを螺着して受け材７の基板７ａの内面に締結することにより、アンカーボルト８を受け材７に固定する。そして、当該コンクリート打設空間９内にコンクリートを打設することにより、受け材７と壁を構築するコンクリートとがアンカーボルト８を介して連結されることになる。
従って、壁にアンカーボルトを先行して取付けた後に、受け材をアンカーボルトに取付ける従来工法の場合のように、壁に先行して取付けられたアンカーボルトの位置と受け材のボルト貫通孔の位置とが一致しなくなるということが無くなり、実施形態１では、アンカーボルトを取付け直したり、あるいは、アンカーボルトの位置に合わせて受け材にボルト貫通孔を形成し直したりする等の、後からの手直し作業が不要となるので、作業性の面での改善が図れる。
尚、受け材７にボルト貫通孔７ｈを形成する作業、及び、ナット８ｂを締結してアンカーボルト８を受け材７に固定する作業を行わずに、アンカーボルト８の軸部８ａの基端を、受け材７の基板７ａの外面に直接溶接しておいても良い。このようにすれば、受け材設置工事においては、アンカーボルト８が溶接された受け材７を各下方内側型枠板３１ａ，４１ａ，５１ａ，６１ａの上面に設置する作業を行うだけで良くなるので、現場での作業を簡易化できる。
【００１６】
梁材設置工事は、図３（ｂ）に示すように、例えば、互いに対向する一対の左右の受け材７，７を繋ぐように梁材７１Ａを設置し、かつ、互いに対向する一対の前後の受け材７，７を繋ぐように上記梁材７１Ａと直交する方向に梁材７１Ｂを設置する。
例えば、図３（ｂ）に示すように互いに対向する一対の左右の受け材７，７を繋ぐように梁材７１Ａが、前後方向に沿って一定の間隔を隔てて複数本（例えば２本）設けられる場合、当該梁材７１Ａと直交する方向に設けられる梁材７１Ｂは、下方内側型枠板６１ａの上面に設置された受け材７と梁材７１Ａとの間、梁材７１Ａと梁材７１Ａとの間、梁材７１Ａと下方内側型枠板３１ａの上面に設置された受け材７との間を繋ぐように設けられ、これら梁材７１Ｂは、左右方向に沿って一定の間隔を隔てて複数本（例えば４本）設けられる。
梁材７１Ａと梁材７１Ｂとしては、例えばＨ形鋼等の形鋼を使用する。
尚、受け材７と梁材７１Ａとの固定、受け材７と梁材７１Ｂとの固定、梁材７１Ａと梁材７１Ｂとの固定は、例えば、図２に示すように、両者をブラケット７１ａ、ボルト７１ｂ及びナットで締結することにより固定したり、あるいは、両者を直接溶接することで固定する。
また、梁材７１Ｂは、端部が、受け材７の上下の側板７ｂ，７ｂ間、又は、梁材７１Ａの上下のフランジ間に挿入された状態で、受け材７、又は、梁材７１Ａと連結される。
【００１７】
さらに、上方における壁の内面となる位置に上方内側型枠板３１ｂ，４１ｂ，５１ｂ，６１ｂの内面が位置されるように、上方内側型枠板３１ｂ，４１ｂ，５１ｂ，６１ｂの下面（下縁）を各受け材７;７…の上方の側板７ｂの上面となる外面に設置していく壁型枠設置作業を行う。
上方内側型枠板３１ｂ，４１ｂ，５１ｂ，６１ｂは、それぞれ、図２に示すように、垂直面となるように立設される垂直面板ａ１と、垂直面板ａ１の下端よりステージ部分１の中央側に向けて延長する水平面を形成する水平面板ａ４とを備え、この水平面板ａ４の水平面ａ３が下方内側型枠板３１ａ，４１ａ，５１ａ，６１ａの下面（下縁）として機能するように構成されることが好ましい。
【００１８】
屋根型枠設置工事では、例えば図２に示すように、梁材７１Ｂの下面（下側のフランジの外面）を支持する複数の大引７２，７２…を設け、これら大引７２，７２…を足場１０の上面側に連結した下側サポート支柱７３で支持する構成である梁材支持構造を構築するとともに、大引７２の上面に上側サポート支柱７４を立設し、当該上側サポート支柱７４の上に屋根スラブ１５を形成するための型枠７５を設ける。
尚、型枠７５は、例えば、図２に示すように、上側サポート支柱７４の上面に位置されるように配置された大引７５ａと、間隔を隔てて隣り合うように配置された複数の大引７５ａ，７５ａ…間に跨るように配置された根太７５ｂと、間隔を隔てて隣り合うように配置された複数の根太７５ｂ，７５ｂ…の上に敷設された型枠板７５ｃとで構成される。
【００１９】
大引７２としては例えば溝形鋼等の形鋼を使用する。当該大引７２は、ステージ部分１の上の屋根スラブ１５を形成するための型枠７５を支持する上側サポート支柱７４を設置するための設置面、及び、梁材７１Ｂ及び梁材７１Ａのたわみを防止して、ブドウ棚２を形成する後述の複数の床材２１，２１…の設置レベル面となる梁材７１Ａの上面（上側のフランジの外面）が受け材７の上面（上側の側板７ｂの外面）と同一水平面上に位置されるようにするレベル設定部材として機能する。
即ち、下側サポート支柱７３及び大引７２で梁材７１Ｂ及び梁材７１Ａを支持する構造を用いて、梁材７１Ａの上面が受け材７の上面と同一水平面上に位置されるようにしているため、複数の床材２１，２１…の下面を受け材７の上面及び梁材７１Ａの上面に安定して接触させることができるようになり、溶接等の固定手段を用いて複数の床材２１，２１…を受け材７及び梁材７１Ａに確実に固定することができるようになる。即ち、梁材７１Ａの上面が受け材７の上面と同一水平面上に位置されていない場合、当該床材２１を溶接等の固定手段を用いて梁材７１Ａに安定に固定することが困難になるが、実施形態１では、下側サポート支柱７３及び大引７２で梁材７１Ｂ及び梁材７１Ａを支持する構造を備えたので、溶接等の固定手段を用いて複数の床材２１，２１…を受け材７及び梁材７１Ａに確実に固定することができ、高品質のブドウ棚２を構築することができるようになる。
尚、梁材７１Ａの下面を支持するように大引７２を設けたり、梁材７１Ｂの下面を支持するように大引７２を設けるとともに、梁材７１Ａの下面を支持するように大引７２を設けるようにしてもよい。
【００２０】
コンクリート打設工事は、壁を構築するための型枠３，４，５，６内（コンクリート打設空間９内）にコンクリートを打設することにより、壁の内面に受け材７，７…が一体化された後壁１１、左壁１２、右壁、前垂れ壁１３を構築するとともに、屋根スラブ１５を構築するための型枠７５の型枠板７５ｃの上にコンクリートを打設することにより、屋根スラブ１５を構築する（図４参照）。
この場合、四角環状受け材７Ｘが水平方向にずれないように、四角環状の各辺を形成する各受け材７，７…の外側に位置するコンクリート打設空間９内に、均等にコンクリートを打設していく。
即ち、ステージ部分１の廻りの壁を構築するための型枠３，４，５，６内（コンクリート打設空間９内）にコンクリートを打設する前に、屋根スラブ１５を構築するための型枠７５を設置し、ステージ部分１の廻りの壁を構築するためのコンクリート打設空間９にコンクリートを打設するとともに屋根スラブ１５を構築するための型枠７５上にコンクリートを打設したので、壁を構築するためのコンクリート打設作業と屋根スラブを構築するためのコンクリート打設作業とを一気に行えるようになり、コンクリート打設作業の効率化が図れる。
【００２１】
ブドウ棚構築工事は、互いに対向する一対の前後の受け材７，７間に複数の床材２１，２１…を設置してブドウ棚２を構築する。
即ち、図５に示すように、複数の床材２１，２１…を、左右方向に沿って所定間隔（例えば１５〜１０ｃｍ程度の間隔）を隔てて設置して、各床材２１，２１…の長手方向の両端側の下面を前後の受け材７，７の上面に固定するとともに、各床材２１，２１…の中央側を梁材７１Ａの上面に固定することで、ブドウ棚２を構築する。
床材２１としては、例えばリップ溝形鋼（Ｃ形鋼）等の形鋼が用いられる。
尚、床材２１と受け材７との固定、床材２１と梁材７１Ａとの固定は、例えば、両者を直接溶接して固定したり、あるいは、図外のブラケット、ボルト及びナットを用いて固定すればよい。
即ち、ブドウ棚２の周囲となる壁の内面に受け材７；７…が取付けられたステージ部分１の廻りの壁を構築した後に、ブドウ棚２の床を形成する複数の床材２１，２１…を受け材７に取付けてブドウ棚２を構築したので、壁に固定された受け材７に床材２１を取付けることができ、作業性、安全性の高いブドウ棚の構築工事を実現できるようになる。
【００２２】
その後、図４に示すように、ステージ部分１の床１Ｆ、及び、アリーナ部分１Ａの床１ＡＦを施工し、さらに、屋根８０を施工することで、ステージ部分１の上方にブドウ棚２と呼ばれる吊元を備えた体育館、講堂等の建物が完成する。
ブドウ棚２の床材２１には、例えば、図外のウインチ等の昇降装置が取付けられ、各種幕、美術バトン、照明バトン、映写スクリーン、飾り等の被吊材が昇降装置により昇降可能に設けられる。
【００２３】
実施形態１に係る建物の施工方法によれば、ステージ部分１の廻りの壁を構築するための型枠３〜６に、それぞれ受け材７を先行して設置しておいて、型枠３〜６内にコンクリートを打設することで壁に取付けられた受け材７に床材２１を取付けて吊元としてのブドウ棚２を構築するようにしたので、屋根スラブ１５を構築する前に、壁を形成するための型枠３〜６の外側からクレーン等の揚重機を用いて、受け材７、床材２１等を構成する重量物である形鋼をステージ部分１に設置された足場１０上に搬入することができるようになる。
従って、従来のように、重量物である形鋼を、建設中の建物内に搬入し、台車等を用いて人力で吊元の構築場所の下方まで搬送する作業、及び、足場等が組立てられた狭い場所において、ウインチ等を用いて荷揚げする作業を無くすことできるので、実施形態１によれば、吊元としてのブドウ棚２の構築において、作業性、安全性の面での改善が図れるようになる。
【００２４】
また、実施形態１に係る建物の施工方法によれば、受け材７にアンカーボルト８の軸部８ａを通すためのボルト貫通孔７ｈを形成しておき、当該受け材７をステージ部分１の廻りの壁を構築するための型枠３〜６に設置するとともに当該受け材７のボルト貫通孔７ｈにアンカーボルト８の軸部８ａを通すことによって、アンカーボルト８の軸部８ａの先端側を型枠３〜６内に設置した後に、当該型枠３〜６内にコンクリートを打設したことにより、アンカーボルト８を介して受け材７と壁とを連結したので、壁にアンカーボルトを設けた後に、受け材をアンカーボルトに取付ける従来工法の場合のように、受け材のボルト貫通孔とアンカーボルトの位置とが合わなくなることが無くなり、アンカーボルトを取付け直したり、あるいは、アンカーボルトの位置に合わせて受け材にボルト貫通孔を形成し直したりする等の、後から手直しする作業が不要となるので、吊元としてのブドウ棚２の構築において、作業性の面での改善が図れる。
【００２５】
実施形態２
天井懐が高い建物の場合において、天井懐の低い部分に、被吊材としての天井材を吊るための吊元を構築する方法について説明する。
例えば、図６に示すように、天井裏２００となる部分の低い位置に梁２０１を構築するための図外の型枠に受け材７を実施形態１と同様に先行して設置しておいて、当該型枠内にコンクリートを打設することで梁２０１に取付けられた受け材７に吊元２０２を取付けるようにする。そして、吊元２０２から被吊材としての天井材２１０が吊り下げられた天井構造を備えた建物を構築する。被吊材としての天井材２１０は、吊元２０２から吊下がるように吊元２０２に取付けられた吊ボルト２０３、ハンガー２０４、野縁受け２０５、野縁取付具２０６、野縁２０７、天井板２０８により構成される。
即ち、吊元２０２から吊下がるように吊元２０２に取付けられた吊ボルト２０３にハンガー２０４を取付け、ハンガー２０４に野縁受け２０５を取付け、野縁取付具２０６を用いて野縁受け２０５に野縁２０７を取付けて天井下地構造を構築し、野縁２０７に天井板２０８が取付けられた天井構造を備えた建物を構築する。
この場合、受け材７として例えば溝形鋼等の形鋼を使用するとともに、吊元２０２として例えばＨ形鋼等の形鋼を使用する。
尚、図６では、建物の断面を例示しており、図６において、２２０は居室、２２１は廊下、２２２はトイレ室である。
【００２６】
実施形態２によれば、建物の天井裏２００となる部分に梁２０１を構築するための図外の型枠に受け材７を設置しておいて、当該型枠内にコンクリートを打設することで梁２０１に取付けられた受け材７に吊元２０２を取付け、当該吊元２０２に被吊材としての天井材２１０が吊り下げられた天井構造を構築したので、建物の天井裏２００に構築される吊元２０２の構築工事において、実施形態１と同様に、作業性、安全性の面での改善が図れるようになる。
【符号の説明】
【００２７】
１  ステージ部分、２  ブドウ棚（吊元）、３，４，５，６  型枠、７  受け材、
７ｈ  ボルト貫通孔、８  アンカーボルト、８ａ  アンカーボルトの軸部、
８ｔ  アンカーボルトの軸部の先端側、９  コンクリート打設空間、
１１，１２，１３  壁（躯体）、２１  床材、３１，４１，５１，６１  内側型枠板、
３１ａ，４１ａ，５１ａ，６１ａ  下方内側型枠板、
３１ｂ，４１ｂ，５１ｂ，６１ｂ  上方内側型枠板、
３２，４２，５２，６２  外側型枠板、２００  天井裏、２０１  梁、２０２  吊元、
２１０  天井材（被吊材）。
【図１】
2019173313.tif 000003
【図２】
2019173313.tif 000004
【図３】
2019173313.tif 000005
【図４】
2019173313.tif 000006
【図５】
2019173313.tif 000007
【図６】
2019173313.tif 000008
【図７】
2019173313.tif 000009